(57)【要約】【課題】環形蛍光ランプ用ベースにおいて、ピン穴に挿入される２本の電極リード線が途中で短絡することを防止する。【解決手段】環形蛍光ランプ用ベース１０は、ピン取付け側ベース部１１とその受け手側ベース部１２とで構成され、この２つを組み合わせボルトで固定して作られている。ピン取付け側ベース部１１にはピン１３が４箇所取り付けられており、裏側のピン穴１５より一本ずつリード線１６が導入される。このとき４箇所のピン穴１５を仕切るように設置されたセパレート板２５がそれぞれのリード線１６を案内し、正規方向からリード線を挿入させる。このためリード線が途中でクロスして短絡することを有効に防止できる。【選択図】      図１
2004311341.tif 000002
【特許請求の範囲】
【請求項１】
表面に４本のピンを植設し、裏面に２個の突起溝を備えたピン取付け側ベース部と、裏面に長手方向の軸に対し垂直な方向に仕切壁を設けると共に、その仕切壁の中央にボルト固定穴を形成し、このボルト固定穴から対称の位置に前記突起溝に嵌合する２個の突起を備えた受け手側ベース部とを前記突起溝に突起を嵌合するように組合せてボルトで固定してなる環形蛍光ランプ用ベースにおいて、前記ピン取付け側ベース部にピン穴間を仕切るセパレート板を設けたことを特徴とする環形蛍光ランプ用ベース。
【請求項２】
前記セパレート板は、前記ピン取付け側ベース部の長手方向の軸に沿って前記ピン穴の間を仕切るように設けた２枚の板部材から構成されていることを特徴とする請求項１記載の環形蛍光ランプ用ベース。
【請求項３】
前記セパレート板を構成する２枚の板部材は、前記ピン取付け側ベース部の長手方向の軸に沿ってピン穴の径より広い幅を有することを特徴とする請求項２記載の環形蛍光ランプ用ベース。
【請求項４】
前記セパレート板は，絶縁材料で形成されていることを特徴とする請求項１〜３のいずれかに記載の環形蛍光ランプ用ベース。
【請求項５】
前記セパレート板は、プラスチックで作られていることを特徴とする請求項１〜４のいずれかに記載の環形蛍光ランプ用ベース。
【請求項６】
前記セパレート板は、前記ピン取付け側ベース部と同じ材料で一体に作られていることを特徴とする請求項１〜３のいずれかに記載の環形蛍光ランプ用ベース。
【発明の詳細な説明】
【０００１】
【発明の属する技術分野】
本発明は、環形蛍光ランプ用ベースに関し、特に電極リード線が短絡するのを防止し得る環形蛍光ランプ用ベースに関する。
【０００２】
【従来の技術】
環形蛍光ランプはバルブ形状が環形をなしており、このバルブの両端部は互いに近接して向かい合っているため、これら端部間に跨りこれら端部を包囲する円筒形の環形蛍光ランプ用口金（ベース）が掛け渡されている。この環形蛍光ランプ用ベースは、二つのプラスチック部材を嵌合することにより形成されており、その一方のプラスチック部材にはランプのフィラメントに接続されるピンが配設されている。
【０００３】
図３は従来の環形蛍光ランプ用ベースの一例を示す斜視図である。図３に示すように、環形蛍光ランプ用ベース１０は、フィラメントに接続される４本のピン１３を植設するとともに、曲って形成された半円筒状のピン取付け側ベース部１１と、このピン取付け側ベース部１１の長手方向の軸に対して垂直に仕切壁を有し且つ曲って形成された半円筒状の受け手側ベース部１２とを備えている。これら両ベース部１１、１２は嵌合され、ボルト１４を仕切壁に固定することにより、ベース１０を構成している。
【０００４】
また、図４（ａ）、（ｂ）はそれぞれ図３における環形蛍光ランプ用ベース、すなわちピン取付け側ベース部１１および受け手側ベース部１２の平面図である。まず、図４（ａ）に示すように、裏面側から見たピン取付け側ベース部１１は、ピン１３を植設したボックスと、受け手側ベース部１２に嵌合させるための突起用溝１８、１９と、図示省略したランプのガラス管封入部を位置決めする段差部２０とを形成している。また、ピン植設ボックスは、その中央に４つのピン穴１５を形成し、ピン１３と接続される電極リード線１６を導入するとともに、４つのピン穴１５の中心にボルト１４を通すボルト穴１７を形成している。これら突起用溝１８，１９は、同じサイズで、しかもボルト穴１７から等距離の位置に形成される。
【０００５】
一方、図４（ｂ）に示すように、裏面側から見た受け手側ベース部１２は、長手方向の軸に対し垂直な中央位置に仕切壁２４を設け、その両端近傍に上述した突起用溝１８、１９に嵌合させるための半円突起２１、２２を形成している。また、仕切壁２４には中央にボルト１４を固定するためのボルト固定穴２３を設けるとともに、ボルト固定穴２３と半円突起２１、２２との間に１個以上の補強用リブを備えている。これら半円突起２１、２２は、同じ形状であり、同様にボルト固定穴２３から等距離に形成される。
【０００６】
上述したピン取付け側ベース部１１の突起用溝１８、１９と受け手側ベース部１２の半円突起２１、２２とを嵌合するように重ね合わせると、図３のベース１０が構成される。
【０００７】
図５はそれぞれ図３におけるベースの嵌合固定前後の断面図である。図５（ａ）に示すように、図４（ａ）のＡ−Ａ断面および図４（ｂ）のＢ−Ｂ断面で示すとおり、ピン取付け側ベース部１１の突起用溝１８、１９と受け手側ベース部１２の半円突起２１、２２とを嵌合させ、ついで図５（ｂ）に示すように、ボルト１４によりボルト穴１７を介しボルト固定穴２３に固定することにより、ベースを完成させることができる。
【０００８】
なお、従来合成樹脂材で形成された半円筒状のピン取付け側ベース部と受け手側ベース部とからなる環形蛍光ランプ用ベースにおいて、受け手側ベース部に長手方向の軸に垂直に、引掛部を有する係止凸部を設け、ピンを備えたピン取付け側ベース部のピン間に形成されている係止穴に、係止凸部を係止してピン取付け側ベース部と受け手側ベース部とを結合するとともに、係止凸部の一部が外部へ突出している構造の環形蛍光ランプ用ベースが知られている（例えば、特許文献１参照）。
【０００９】
特許文献１
特開平９−２１３２０７号公報（［００１４］、図１）。
【００１０】
【発明が解決しようとする課題】
図６（ａ）、（ｂ）は従来のピン取付け側ベース部１１において、４つのピン穴１５に電極リード線１６を挿入する様子を示した図である。図６（ａ）はリード線１６がピン穴１５に正規に挿入された状態を表している。図６（ｂ）はリード線１６がクロスして挿入された状態を示している。従来のピン取付け側ベース部１１には、ボルト締め位置を中心として４本のピン穴１５が左右対称形に配置されている。このようなピン穴１５に電極リード線１６を挿入する際、図６（ａ）に示すように正規に挿入することが必要であるが、従来のピン取付け側ベース部１１のピン穴１５の間には何も仕切るものが設けられていないので、電極リード線１６が図６（ｂ）に示すようにクロス方向から挿入されることも起こり得る。
【００１１】
電極リード線１６同士がクロスした状態でピン穴１５に挿入されると、電気的な短絡を生じ、ランプが不良品になってしまう。あるいは外部リード線１６がたるんだ状態でピン穴内に導入されても、ピン先端からのリード線突き出し量の変化はわずかなものであり、この突き出し量で不良品を判定することは不可能であった。
【００１２】
このように従来は、クロスするような異なる方向からリード線がピン穴に導入されたり、わずかにたるんだ状態でリード線が導入された場合、ピンからのリード線突き出し量は正常品とあまり変わることがなく、別工程での抵抗値検査でしか不良品は排除できなかったり、また環形蛍光ランプのベースはある程度回転できる構造となっているので、抵抗値検査のときは接触していない状態のものが、製品完成後、器具への装着時にリード線同士が接触して短絡不良となるケースが見られた。
【００１３】
なお、カメラなどの光学系検査装置でクロス状態を判定することは可能であるが、たるみなどの検出は難しく、また検査装置が高価なものになるという難点があった。
【００１４】
上記した特許文献１に記載された環形蛍光ランプ用ベースの係止凸部は、ベースの長手方向の軸に垂直に設けられている上、その役割は引掛け部をピン取付け側ベース部の係止穴に係合してピン取付け側ベース部と受け手側ベース部とを結合することにあり、本発明のように外部リード線がクロスしてピン穴に挿入されるのを防止するという作用はない。
【００１５】
本発明の目的は、ピン穴に挿入される２本の電極リード線を確実に分離して正規のピン穴に挿入することができ、リード線が途中で短絡することを防止することができる環形蛍光ランプ用ベースを提供することである。
【００１６】
【課題を解決するための手段】
本発明は、表面に４本のピンを植設し、裏面に２個の突起溝を備えたピン取付け側ベース部と、裏面に長手方向の軸に対し垂直な方向に仕切壁を設けると共に、その仕切壁の中央にボルト固定穴を形成し、このボルト固定穴から対称の位置に前記突起溝に嵌合する２個の突起を備えた受け手側ベース部とを前記突起溝に突起を嵌合するように組合せてボルトで固定してなる環形蛍光ランプ用ベースにおいて、前記ピン取付け側ベース部にピン穴間を仕切るセパレート板を設けたことを特徴とする。
【００１７】
前記セパレート板は、前記ピン取付け側ベース部の長手方向の軸に沿って前記ピン穴の間を仕切るように設けた２枚の板部材から構成されており、２枚の板部材は、それぞれ前記ピン取付け側ベース部の長手方向の軸に沿ってピン穴の径より広い幅を有している。前記セパレート板は，絶縁材料で形成されており、絶縁材料としてはプラスチック材が好ましい。また、セパレート板は、ピン取付け側ベース部と同じプラスチックなどの材料を用いて金型で一体成形して作ることもできる。
【００１８】
このように本発明の環形蛍光ランプ用ベースは、ピン穴間を仕切るセパレート板を有するのでピン穴に挿入される２本の電極リード線を確実に分離することができ、リード線が途中で短絡することを防止することができる。
【００１９】
【発明の実施の形態】
つぎに本発明について図面を参照して詳細に説明する。図１（ａ）〜（ｆ）は本発明の一実施形態を示す図である。図１（ａ）、（ｂ）、（ｃ）はそれぞれピン取付け側ベース部１１の平面図、断面図および裏面から見た平面図であり、図１（ｄ）、（ｅ）は受け手側ベース部１２の平面図および断面図、図１（ｆ）はピン取付け側ベース部１１と受け手側ベース部１２を組合わせた状態を示す断面図である。本実施形態の特徴は、図１に示すように環形蛍光ランプ用ベースを構成するピン取付け側ベース部に、ピン穴間を仕切るセパレート板を設け、ランプのフィラメントとピンを接続する電極リード線が定められたピン穴に誘導される形状を持たせた点である。
【００２０】
図１（ｆ）に示すように、環形蛍光ランプ用ベース１０は、フィラメントに接続される４本のピン１３を植設するとともに、曲って形成された半円筒状のピン取付け側ベース部１１と、このピン取付け側ベース部１１の長手方向の軸に対して垂直な仕切壁２４（図１（ｄ）参照）を有し且つ曲って形成された半円筒状の受け手側ベース部１２とを備えている。これら両ベース部１１、１２は嵌合され、ボルト１４を仕切壁２４に固定することにより、ベース１０を構成している。
【００２１】
まず、図１（ａ）、（ｂ）、（ｃ）に示すように、ピン取付け側ベース部１１は、ピン１３を植設したボックスと、受け手側ベース部１２に嵌合させるための突起用溝１８、１９と、図示省略したランプのガラス管封入部を位置決めする段差部２０とを形成している。また、ピン植設ボックスは、その中央に４つのピン穴１５を形成し、ランプのフィラメントとピン１３とを接続する電極リード線１６を導入するとともに、４つのピン穴１５の中心にボルト１４を通すボルト穴１７を形成している。
【００２２】
本発明では、ピン取付け側ベース部１１の４箇所のピン穴１５を仕切るようにセパレート板２５が設置されている。このセパレート板２５は、ピン取付け側ベース部１１の長手方向の軸に沿って中央からピン穴の間を通って両側へ伸びる２枚の板部材で構成されている。板部材の軸方向の幅はピン穴１５の径より大きくされている。このためピン穴１５にリード線１６を導入する際にセパレート板２５がそれぞれのリード線を案内し、正規の方向からリード線を挿入させる。したがって、２本のリード線がクロスして電気的に短絡するようなことはない。このセパレート板は、絶縁材料を用い所望の幅の板部材をピン取付け側ベース部１１に取付けて形成する。絶縁材料としては、プラスチック材が適当である。また、環形蛍光ランプ用ベースは通常プラスチック材を用いて金型成形して製作されるので、セパレート板をピン取付け側ベース部と同じプラスチック材料で金型を用いて一体に作ってもよい。この場合には製作が容易になるという利点がある。
【００２３】
一方、図１（ｄ）、（ｅ）に示すように、裏面側から見た受け手側ベース部１２は、長手方向の軸に対し垂直な中央位置に仕切壁２４を設け、その両端近傍に上述した突起用溝１８、１９に嵌合させるための半円突起２１、２２を形成している。また、仕切壁２４には中央にボルト１４を固定するためのボルト固定穴２３を設けるとともに、ボルト固定穴２３と半円突起２１、２２との間に１個以上の補強用リブを備えている。
【００２４】
上述したピン取付け側ベース部１１の突起用溝１８、１９と受け手側ベース部１２の半円突起２１、２２とを嵌合するように重ね合わせボルト１４で固定して図１（ｆ）に示した環形蛍光ランプ用ベース１０が構成される。
【００２５】
図２（ａ）、（ｂ）は、それぞれ本実施の形態で設けたセパレート板の効果を説明するための平面図と断面図である。図２から分かるように、セパレート板２５は、中央からピン取付け側ベース部１１の長手方向の軸に沿ってピン穴１５の間を仕切るようにピン穴径より大きい幅を有して設置されている。セパレート板２５がピン穴１５の間を仕切るように設けられているので、ピン穴１５にリード線１６を導入する際それぞれのリード線を案内し、正規方向からリード線を挿入させる。図２（ａ）の左側の２個のピン穴１５について示したように、クロス状態ではリード線１６がピン穴１５に入らない。
【００２６】
また、図２（ａ）の右側の２個のピン穴について示したように、万一ピン穴１５リード線が折れ曲がった状態でに入っても、折れ曲がった分長さが必要となり、図２（ｂ）に示すようにピン１３の先端からの突き出し量で正規にリード線１６がピン穴１５に挿入されたかどうかを判別できる。すなわち４本のリード線が正規の方向からピン穴に導入された場合、ピン先端から突き出したリード線の長さはほぼ同一となる。一方セパレート板を迂回するなどして、正しくない方向からリード線が導入された場合、ピン先端からのリード線突き出し量は短くなる。この突き出し量を測定することにより、短絡しかねない不良品を製造工程から自動的に排除することができる。
【００２７】
なお、本発明は通常の環形蛍光ランプ用ベースだけでなく、管径の細い高周波専用環形蛍光ランプ用ベースにも適用できる。高周波専用環形蛍光ランプは管径が細く、したがってピン穴の間隔が狭いのでセパレート板を設けることはリード線の短絡防止により有効である。
【００２８】
【発明の効果】
以上詳細に説明したように、本発明は、環形蛍光ランプ用ベースのピン取付け側ベース部にピン穴間を仕切るセパレート板を設けるという簡単な構成により、リード線がクロスするような方向からピン穴に導入された場合、その検査および工程からの排除を容易かつ確実なものとし、また、リード線がたるんだ状態であった場合にも、リード線同士の接触を防止することができるという効果がある。さらに、ピン取付け側ベース部を金型を用いて製作する際、セパレート板も同時に一体に製作できるので特別な製造工程を必要としないという利点もある。
【図面の簡単な説明】
【図１】（ａ）〜（ｆ）は、本発明の一実施形態を示す図である。
【図２】（ａ）、（ｂ）は本発明の一実施形態における効果を説明する図である。
【図３】従来の環形蛍光ランプ用ベースの外観構造を示す斜視図である。
【図４】（ａ）、（ｂ）は、それぞれ従来のピン取付け側ベース部と受け手側ベース部の構造を裏側から見た平面図である。
【図５】（ａ）、（ｂ）は、従来の環形蛍光ランプ用ベースの組合わせた状態を示す断面図である。
【図６】（ａ）、（ｂ）は、従来の環形蛍光ランプ用ベースの場合に電極リード線を接続する際の問題点を説明するための図である。
【符号の説明】
１０    環形蛍光ランプ用ベース
１１    ピン取付け側ベース部
１２    受け手側ベース部
１３    ピン
１４    ボルト
１５    ピン穴
１６    リード線
１７    ボルト穴
１８、１９    突起用溝
２０    段差部
２１、２２    半円突起
２３    ボルト固定穴
２４    仕切壁
２５    セパレート板
【図１】
2004311341.tif 000003
【図２】
2004311341.tif 000004
【図３】
2004311341.tif 000005
【図４】
2004311341.tif 000006
【図５】
2004311341.tif 000007
【図６】
2004311341.tif 000008